(57)【要約】【課題】  第１と第２の伝送装置から送出されるＩＦ信号の遅延差を測定可能とする手段を提供することで、双方の伝送系の遅延差を補正可能とし、非伝送データの伝送期間での切替えを実現すること。【解決手段】  伝送データをそれぞれ送信する第１の伝送装置と第２の伝送装置とを備え、第１の伝送装置と第２の伝送装置のいずれか一方の出力信号を送信する二重系無線伝送装置において、第１と第２の伝送装置から送出される信号の位相差を検出する場合、伝送データに周期的に挿入された所定の非伝送データを、伝送データの信号波形と区別可能な振幅０の信号波形として、双方の信号の位相差を検出する二重系無線伝送装置の位相差検出方法である。【選択図】  図１
2005109852.tif 000002
【特許請求の範囲】
【請求項１】
伝送データをそれぞれ送信する第１の伝送装置と第２の伝送装置とを備え、前記第１の伝送装置と前記第２の伝送装置のいずれか一方の出力信号を送信する二重系無線伝送装置において、前記第１と第２の伝送装置から送出される信号の位相差を検出する場合、前記伝送データに周期的に挿入された所定の非伝送データを、前記伝送データの信号波形と区別可能な所定の信号波形として、当該双方の信号の位相差を検出することを特徴とする二重系無線伝送装置の位相差検出方法。
【請求項２】
請求項１において、前記所定の非伝送データを振幅０の信号波形とし、振幅のある伝送データの信号波形との振幅差を判別しやすくしたことを特徴とする二重系無線伝送装置の位相差検出方法。
【発明の詳細な説明】
【技術分野】
【０００１】
本発明は、伝送系を二重に備えたデジタル無線伝送装置に係り、特に２系統の伝送系を切替えて運用する二重系無線伝送装置の位相差検出方法に関するものである。
【背景技術】
【０００２】
近年、地上波放送のデジタル化に伴い、デジタル無線伝送装置が用いられるようになっているが、特に、放送業務用などの高い信頼性が要求されるシステムでは、実運用時での故障耐性や保守作業時での運用性確保の見地から、信号伝送系を二重にし、冗長性が与えられるように構成される場合が多い。
【０００３】
このようなシステムで用いられるデジタル無線伝装置では、放送信号などの伝送データの他に、無線伝送路の特性変動に対応するために、使用される波形等化用基準信号などの非伝送データが一定周期で挿入されて伝送される。
【０００４】
ここで、この様なシステムの送信側において二重化された伝送系を切換える際に、前記非伝送データの伝送期間に切替えを行うことで、切換えに伴うデータ欠落が生じないようにする方式がある(例えば、特許文献１、特許文献２参照)。
【０００５】
一方、前記非伝送データでの切替えに際しては、各機器間のケーブル長を含め、双方の伝送系の遅延差を一致させる必要がある。  よって、双方の伝送系のケーブル長は等長とする必要があるが、特にアナログＩＦ信号は、放送局の運行室からフロアの違う無線中継室まで引き伸ばす必要があり、そのケーブル長は約１００ｍ〜２００ｍ程にもなる。
しかも、それらの配線系は放送局設備として既に既設されている場合がほとんどであり、ＩＦケーブル長が等長であることはまず期待できない。
【０００６】
よって、ＩＦ信号の遅延差を観測し、ケーブルの継ぎ足し等で遅延差を補正する必要があるが、ＩＦ信号は既にベースバンド信号からアップコンバートされているため、双方の波形をオシロスコープで観測してもその遅延差を測定する事は困難である。
【特許文献１】特開２００２−３５９５７８号公報
【特許文献２】特開２００３−１１０４６７号公報
【発明の開示】
【発明が解決しようとする課題】
【０００７】
以上のように、二重化された伝送系を切換える場合、非伝送データの伝送期間に切替えを行い、切換えに伴うデータ欠落が生じないようにすることと、各機器間のケーブル長を含め、双方の伝送系の遅延差を一致させる必要がある。即ち、双方の伝送系のケーブル長を等長とする必要があるが、それらの配線系は放送局設備として既に既設されている場合がほとんどであり、ケーブル長が等長であることはまず期待できない。
【０００８】
従って、従来では、ＩＦ信号の遅延差を観測し、ケーブルの継ぎ足し等で遅延差を補正することになるが、ＩＦ信号は既にベースバンド信号からアップコンバートされており、双方の波形をオシロスコープで観測してもその遅延差を測定する事は困難であった。
【０００９】
本発明はこれらの欠点を除去し、ＩＦ信号の遅延差を測定可能とする手段を提供することで、双方の伝送系の遅延差を補正可能とし、非伝送データの伝送期間での切替えを実現することを目的とする。
【課題を解決するための手段】
【００１０】
本発明は上記目的を達成するため、伝送データをそれぞれ送信する第１の伝送装置と第２の伝送装置とを備え、前記第１の伝送装置と前記第２の伝送装置のいずれか一方の出力信号を送信する二重系無線伝送装置において、前記第１と第２の伝送装置から送出される信号の位相差を検出する場合、前記伝送データに周期的に挿入された所定の非伝送データを、前記伝送データの信号波形と区別可能な所定の信号波形として、当該双方の信号の位相差を検出する二重系無線伝送装置の位相差検出方法である。
【００１１】
また、前記所定の非伝送データを振幅０の信号波形とし、振幅のある伝送データの信号波形との振幅差を判別しやすくしたものである。
すなわち、非伝送データ期間のベースバンド信号を振幅０とするモードを設けることにより、ＩＦ信号へアップコンバート後も非伝送データ期間の波形振幅は０となり、振幅のある伝送データ期間の波形との区別が容易になる。その状態で、非伝送データの伝送期間で切替えるための切替えタイミング信号をトリガとし、双方のＩＦ信号をオシロ等で観測する事でその遅延差の測定を可能とするものである。  なお、上記モードは、装置設置時に一時的に使用すればよく、通常運用時の伝送に支障をきたすことはない。
【発明の効果】
【００１２】
以上説明したように本発明によれば、非伝送データの内容を振幅０のデータにすることにより、外部に特別な信号発生器を設けることなく、２系統のＩＦ信号遅延差を測定することができ、よって、双方の信号の位相を一致させる様に調整が可能となり、伝送データの欠落を抑える切換制御が可能なデジタル無線伝送装置を提供することができる。
【発明を実施するための最良の形態】
【００１３】
以下、本発明の一実施例を、図１、図２を用いて詳細に説明する。
図２は、二重系デジタル無線伝送システムの送信側装置の一実施形態で、同一の信号に対して、入力から送信アンテナ装置４の手前までを１号系送信装置１と２号系送信装置２の二重系とし、送信アンテナ装置４を共通とした構成である。
【００１４】
１号系デジタル変調部５、２号系デジタル変調部６は、互いに、非伝送データ挿入同期信号を受け渡し、また、運行室監視板９にも供給される。
運行室監視板９は、デジタル変調部としてどちらの系統が使用されているかを示すための、１号系選択信号、２号系選択信号を供給する。
【００１５】
また、運行室監視板９は、入力した上記非伝送データ挿入同期信号を切替えタイミング信号として、系統切替え制御信号と共に無中室監視板１０へ伝送する。
無中室監視板１０は切替えタイミング信号と系統切替え制御信号により、ＲＦ出力切替器３への切替え信号を供給する。
【００１６】
１号系送信装置１と２号系送信装置２には、信号源が同じで、一定周期で非伝送データが挿入されている信号が１号系信号と２号系信号として分配され、それぞれデジタル変調部５，６に入力される。  図１に示すように、伝送データと伝送データの間に、周期的に非伝送データが挿入され、伝送データ部分と非伝送データ部分が交互に組み合わされたデータ構成(組み合わせデータ)にしている。  ここで、このような組み合わせデータは、デジタル無線伝送システムにおけるデータ伝送の代表的な方式の１つであり、挿入される非伝送データは受信側で伝送路特性に応じた波形等化を行うために使用する波形等化用の基準信号などのデータである。
【００１７】
１号系デジタル変調部５は、入力された組み合わせデータをデジタル変調し、１号系送信周波数変換部７に出力する。  １号系送信周波数変換部７は、入力された信号を所定の周波数のＲＦ信号に周波数変換し、ＲＦ出力切換器３に出力する。  一方、２号系送信装置２に入力された２号系信号も、１号系送信装置１と同様に処理され、２号系デジタル変調部６、２号系送信周波数変換部８を通り、１号系送信装置１と同様のＲＦ信号を得て、ＲＦ出力切換器３に出力される。  運行室監視板９は、故障発生時や保守作業時などで、１号系から２号系へ、又は、２号系から１号系へ送信の切換えを行う場合、装置運用者の所定の操作により、無中室監視板１０によって発生した切替え信号が与えられる。また、運行室監視板９には、非伝送データ挿入同期信号が供給されている。
【００１８】
以上のような構成により、２系統の送信装置１，２の非伝送データの送信期間を一致させ、非伝送データ期間でのＲＦ出力の切替えを可能としている。
ここで、上記切替実現上障害となるのは、デジタル変調部５，６〜送信周波数変換部７，８間のＩＦ信号のケーブル長の違いによる、１号系と２号系のＩＦ信号遅延差である。その遅延差を測定するためには、ＩＦ信号を無中室側の図中に示した観測信号Ｓ１、観測信号Ｓ２の位置で切替タイミング信号を観測トリガとしてオシロ等で観測できればよい。
【００１９】
そこで、本発明では、１号系と２号系のＩＦ信号の遅延差を測定する場合、一定周期で挿入された非伝送データの期間を、伝送データの信号波形と区別可能な所定の波形の信号、例えば、振幅０のデータに置き換え、遅延差の測定を容易としている。  本発明による１号系と２号系のＩＦ信号の遅延差測定の様子を図１に示す。
【００２０】
信号(ａ)は通常時の伝送データ列を示しており、伝送データの間に一定周期で非伝送データが挿入されている。  ここで、１号系と２号系のＩＦ信号遅延差を測定する場合、一定周期で挿入された非伝送データの期間を振幅０のデータに置き換え、遅延測定時伝送データ（ｂ）を得る。  そして、切替えタイミング信号（ｃ）をトリガとして、観測信号Ｓ１，Ｓ２をオシロで観測すると、図１の（ｄ）、（ｅ）のような波形が観測できる。
【００２１】
例えば、観測信号Ｓ１，Ｓ２の振幅が０となる開始位置の差Ｔを測定する事で、双方の信号間の遅延差が簡単に検出できる。  そこで、この差Ｔを０になる様に、１号系または２号系のケーブルの継ぎ足し等で調整する事で、双方の信号の位相を一致させる事が可能となる。
【図面の簡単な説明】
【００２２】
【図１】ＩＦ信号遅延差測定方法を説明する各部波形図である。。
【図２】デジタル無線装置の一実施例を示すブロック図である。
【符号の説明】
【００２３】
１：１号系送信装置、２：２号系送信装置、３：ＲＦ出力切換器、４：送信アンテナ装置、５：１号系デジタル変調部、６：２号系デジタル変調部、７：１号系送信周波数変換部、８：２号系送信周波数変換部、９：運行室監視板、１０：無中室監視板。
【図１】
2005109852.tif 000003
【図２】
2005109852.tif 000004